(57)【要約】【課題】板状部材の上に人工芝を着脱容易に取り付け、その下側から複数の高さ調整可能な部材で支えることにより、実際のグリ−ンの傾斜面を再現し、且つ折り畳み収納・運搬が容易なパタ−の練習台を提供するものである。【解決手段】平面板材の上面に人工芝を面ファスナ−等で固定し、その板材の下面４隅を脚部に固定されたナットに雄ネジをはめ込み、その頂部の高さを可変とした高さ調節部材により支えることにより実際のグリ−ンの傾斜状態を作るパタ−の練習台とした。更に、収納・可搬性を良くするために、板材を分割し蝶番などヒンジにより接続する。１・・平面板材、２・・人工芝、３・・ホ−ル、８・・高さ調整部品、９・・面ファスナ−、１０・・蝶番。【選択図】図２
2006289002.tif 000002
【特許請求の範囲】
【請求項１】
人工芝を上面に乗せた平面板材が高さを調節できる部品により支えられている構造であって、高さを調節できる部品（アジャスタ−）は、脚部に固定されたナットを介してネジを回すことにより高さを変えられる構造であるパタ−の練習台。
【請求項２】
平面板材は複数に分割され蝶番などヒンヂにより接続されている請求項１記載のパタ−の練習台。
【請求項３】
人工芝と平面板材とは面ファスナ−により固定されている請求項１又は２記載のパタ−の練習台。
【発明の詳細な説明】
【技術分野】
【０００１】  この発明はゴルフ場のグリ−ンに近似した傾斜の取れるパタ−練習台の構造に関するものである。
【背景技術】
【０００２】      パタ−の練習道具としては人工芝の先端にプラスティック製のホ−ルを設け、その部分を少し高くしてボ−ルを止める構造が一般的である。【０００３】  しかし、この様な単純な構造では実際のグリ−ンの様に、登り下り・つま先上がり下りなど多様な傾斜のある場合の練習道具としては不十分であった。また、平面での練習は単調であり、楽しさに欠けて長続きしないのが常であった。【０００４】  本考案では、実際のグリ−ンに近似した傾斜を与えることのできる装置を提供するものである。【０００５】  この様な傾斜を付けることの出来るパタ−練習台には以下のような公知文献がある。【０００６】
【特許文献１】実用新案第３０２１４９５号公報
【特許文献２】実用新案第３１０１５１８号公報
【特許文献３】実開平０７−０４３５９０号公報
【０００７】  特許文献１，２，３については、ゴムのような可撓性のある基盤に人工芝を乗せた部材を下からエアクッション・ビ−ズ・積み木細工などで支えるものであり、パッティングラインは複雑な傾斜となり再現性に乏しいものであった。複数の回数を繰り返すパタ−の練習には安定した傾斜や平面が与えられることが必須である。それ故に可撓性材料の弾性にそれを期待する上記提案は実用的なものとは云えない。
【発明の開示】
【発明が解決しようとする課題】
【０００８】  本発明は安定且つ再現性のある傾斜面の提供ができるパタ−の練習台を提供するものである。
【課題を解決するための手段】
【０００９】  第１発明はパタ−練習台の基本となる構造に係る発明であり、人工芝を上面に乗せた板材を高さが可変な部品（アジャスタ−）により支えられている構造を特徴とするものである。そのアジャスタ−は脚部にナットが固定されそれに組み合わされたネジを回転することにより高さを変えることができる。複数のアジャスタ−を基盤となる板材の端部に配置することにより、傾斜を自由に変えることが容易である。【００１０】  第２発明はその基盤となる板材の構造に係わるもので、長さ方向に分割された板材をヒンジにより接続し、折り畳みが可能であることを特徴とするものである。【００１１】  第３発明はその板材と人工芝との固定方法に係わるものである。板材上面と人工芝裏面に面ファスナ−を用いて固定する事を特徴とするものである。
【発明の効果】
【００１２】  発明の効果について第１、２発明をもって述べれば、板材の隅にアジャスタ−を置き高さを変えることにより、グリ−ンと同じような傾斜を作ることが出来パタ−の練習を室内で行うことが可能となる。そして、板材を分割しヒンジで接続することにより可搬性、収納性を高めることが出来る。【００１３】  更に第３発明により、人工芝も面ファスナ−により容易に着脱出来るので折り癖によりボ−ルの動きを不安定にすることが避けられる。
【発明を実施するための最良の形態】
【００１４】  発明の最良の形態について第１、２、３発明をもって述べれば、基盤となる分割されヒンジで接続された板材の上面に面ファスナ−を介して人工芝を固定し、その板材の裏面に対し高さの可変な部品を４隅及び分割部に置くことにより実際のグリ−ンに類似した斜面を形成することが出来、室内で用いるパタ−の練習台とすることが出来る。【００１５】  傾斜の種類としては登り・下りとつま先上がり・下がりの組み合わせが出来る他に、脱着可能な人工芝の毛の長さを変えることにより、実際のグリ−ンの遅速に対応することも可能である。【００１６】  また、人工芝にはその製造上の特徴として片側に傾いて毛が植えられているので人工芝を逆さまに取り付けることにより、グリ−ンの順芽、逆芽にも対応が可能である。
【実施例】
【００１７】  以下、本発明のパタ−練習台の代表例である構造について更に図面をもって説明する。図２は本発明の全体斜視図である。図中１は本発明の基盤となる板材である。この板材としては木製合板や集成材で平面に歪みのないものが用いられる。そして、この板材は２ないし３つに分割されており、蝶番１０によって接続されている。後部蝶番１０ａは板材１の下面に、前部蝶番１０ｂは板材１の上面に取り付けられる。これにより図６に示すように、板材１は収納時・運搬時には折り畳む事が可能である。しかし、長さが短い場合には板材を分割しないでも済む場合があることは言うまでもない。【００１８】  板材１の上面には、面ファスナ−９ａ、９ｂによって人工芝２が弛むことなく固定される。
板材１の前方にはホ−ル（穴）が設けられ人工芝にもそのホ−ルに合わせた穴が開けられている。ホ−ルは複数設けることも可能であり、その際使わないホ−ルにはホ−ル蓋４を乗せ閉じて置くことが好ましい。人工芝２は前後を代えて取り付ければ順芽・逆芽にもなり、更には人工芝の材質や毛の長さ（図示せず）を変えれば早いグリ−ン、遅いグリ−ンに対応することも可能である。【００１９】  板材１の後部にはボ−ル置き皿６が、前部にはボ−ル受け皿５が粘着材・接着剤・固定金具（図示せず）などにより設けられる。そして、前部のホ−ルの下には上面に蓋の無いボ−ル入れ７を置く。これは固定する必要はなくボ−ルが入ったら都度ボ−ル置き皿６へ移し換えるのである。【００２０】  この様な構成のものを、高さ調整部品（アジャスタ−）８により板材の４隅及び接続部に於いて支えるのである。従って、これら高さ調整部品８の長さを図３の頂部８ｅをＡ→Ｂ方向又はその逆方向へ廻すことにより変えれば板材に傾斜を自由に与える事が可能である。【００２１】  図３は高さ調整部品８の構造の一例を示している。脚部８ａは好ましくはプラスティックや木製で内部にはネジ部８ｄの太さよりやや大きな穴８ｂが設けられ、上面にはナット部８ｃがネジや釘等で固定されている。
このような構成に対して上部よりネジ部８ｄをＡ〜Ｂ方向へ廻すことにより頂部８ｅは高さを容易に変えることが出来る。この高さ調整部品８を逆さにし、頂部を下に脚部を上にして使うことも可能である。【００２２】  図４及び図５には高さ調整部品の変形例を示している。図４の変形例１は脚部１５の内面周方向のナットを半周欠くことによりネジ部１６を半回転するだけで高さ方向にスライドする事ができ元へ半回転すれば位置が固定される。これにより簡単に高さを変えられる構造のものである。頂部には微調整用のボルト１７が設けられている。図５は変形例２を示す。エア−ポンプ２１からホ−スを介して蛇腹形状のジャッキ１９に空気を送りホ−ス途中に設けられた３方弁２０の開閉により頂部１８の高さを変えるものである。【００２３】  この様な構成に対して、踏み台１１の上に乗りボ−ルを後部から前部へ向かってパタ−により転がして練習をするのである。
【産業上の利用可能性】
【００２４】  本発明に係わるパタ−の練習台の構造は以上の通りであり、実際のグリ−ンに類似した傾斜状態を室内で容易に再現でき、練習の効果を上げることが出来る。更には使わない時には、コンパクトに折り畳むことが可能で容易に収納ができ実用的である。
【図面の簡単な説明】
【００２５】
【図１】図１は特許文献１のパタ−練習用具の斜視図である。
【図２】図２は本発明のパタ−練習台の構造を示す全体斜視図である。
【図３】図３は本発明の高さ調節部品（アジャスタ−）の構造を示す透視斜視図である。
【図４】図４は本発明の高さ調節部品の変形例１を示す斜視図である。
【図５】図５は本発明の高さ調整部品の変形例２を示す斜視図である。
【図６】図６は板材を折り畳んだときの斜視図である。
【符号の簡単な説明】
【００２６】  １・・平面板材
２・・人工芝
２ａ・・人工芝裏面
３・・ホ−ル
４・・ホ−ル蓋
５・・ボ−ル受け皿
６・・ボ−ル置き皿
７・・ボ−ル入れ
８・・高さ調整部品（アジャスタ−）
８ａ・・脚部
８ｂ・・穴部
８ｃ・・ナット部
８ｄ・・ネジ部
８ｅ・・頂部
９・・面ファスナ−
９ａ・・後部ファスナ−
９ｂ・・前部ファスナ−
１０・・蝶番
１０ａ・・後部蝶番
１０ｂ・・前部蝶番
１１・・踏み台
１２・・図１先願（実願平７−９６０４）の空気袋
１３・・同左のマット
１４・・同左のパイプ
１５・・変形例１の脚部
１６・・同左ネジ欠損部
１７・・同左ボルト部
１８・・変形例２の頂部
１９・・蛇腹部
２０・・三方弁
２１・・エア−ポンプ
２２・・ホ−ス
【図１】
2006289002.tif 000003
【図２】
2006289002.tif 000004
【図３】
2006289002.tif 000005
【図４】
2006289002.tif 000006
【図５】
2006289002.tif 000007
【図６】
2006289002.tif 000008